(57)【特許請求の範囲】
【請求項１】
外管と、この外管内に軸方向に移動可能に挿入された内管と、前記外管に設けられ前記内管の外管に対する軸方向への移動を規制する固定手段とからなり、この固定手段により所定長さとした内管と外管とを前記所定長さの状態に保持させる伸縮延長管において、
前記外管の一端側に貫通孔を形成し、前記内管に軸方向に沿って複数の係合凹部を所定間隔毎に形成するとともに、
前記固定手段を、
前記貫通孔を通ってその先端部を前記係合凹部に係脱する係止体と、
この係止体を係合凹部から離脱させる方向に移動させるアーム、および前記係止体の端面と対向する天井壁に設けられ前記係止体を係合凹部に係合させる方向に押圧するとともに、前記アームとの間に前記係止体をその移動方向に挟む押圧部を有し、支点軸を介して前記外管に回動可能に設けられた操作つまみと、
前記支点軸を境に前記アーム及び押圧部とは反対側に設けられ、前記操作つまみを付勢し前記係止体に当接した前記押圧部によって前記係止体を係合凹部に係合させる方向に押圧する付勢バネとから構成したことを特徴とする伸縮延長管。
【請求項２】
掃除機本体の吸込口と吸込口体とを請求項１記載の伸縮延長管によって連通接続することを特徴とする電気掃除機。
【発明の詳細な説明】
【０００１】
【発明の属する技術分野】
この発明は、電気掃除機に用いられる伸縮延長管およびこの伸縮延長管を用いた電気掃除機に関する。
【０００２】
【従来の技術】
従来、電気掃除機は、掃除機本体の吸込口に一端側を接続した吸込ホースの他端側に複数の管からなる伸縮延長管を接続し、この伸縮延長管の先端に床ブラシなどの吸込口体を接続して掃除をするようにしたものが多く使用されている。
【０００３】
そして、上記伸縮延長管（以下単に延長管という）は、一般には外管とこの外管内にその軸方向に移動可能に挿入された内管とから構成され、内管の外管からの突出長を変えて全長を所望の長さに調節するとともに、この調節した長さ状態を固定手段によって保持するようにしているものである。
【０００４】
そして、前記固定手段は、一般的に図７に示すように、外管１００の一端側端部に設けた収納部１１１内に軸１１２を回動支点として回動可能に配設され、一端側先端部に係合爪１１３を有し他端側に操作部１１４を有する操作つまみ１１０と、この操作つまみ１１０を軸１１２を支点として常時図７において時計方向に回転させるように付勢する付勢バネ１１５とから構成されている。
【０００５】
また、前記外管１００の一端側端部には、前記収納部１１１の底壁に形成した貫通孔１１６と対応させて貫通孔１０１が形成されており、この貫通孔１１６を貫通して前記操作つまみ１１０の係合爪１１３が付勢バネ１１５に付勢されて常時は管内に突出している。
【０００６】
また、外管１００内には、軸方向に沿って移動可能に内管１２０が挿入されており、また、この内管１２０の外周壁には軸方向に沿って所定の間隔をあけて複数の係合凹部１２１が形成されており、この係合凹部１２１には付勢バネ１１５によって付勢された前記操作つまみ１１０の係合爪１１３が係合するようになっており、このことによって、内管１２０は外管１００に対する軸方向の移動が規制されて軸方向への移動が阻止され所定の長さに保持されるものである。
【０００７】
そして、使用者が掃除をする際に延長管を所望の長さに調節しようとする場合は、前記操作つまみ１１０の操作部１１４を前記付勢バネ１１５の付勢力に抗して収納部１１１内に向けて押込み、軸１１２を回動支点として操作つまみ１１０を反時計方向に回動させ、係合爪１１３を係合凹部１２１から離脱させ、ついで内管１２０を外管１００に対して移動させて所望の長さとなったとき前記操作部１１４の押圧を解除し係合爪１１３を、この時係合爪１１３と対向している係合凹部１２１に係合させることによってなされる。このことによって延長管は所望の長さに調節できるものである。
【０００８】
しかし、上記のように構成された固定手段は、操作つまみ１１０を軸１１２を回動支点として回動させる構成となっていることから、掃除中などに内管１２０を外管１００に対して、図７において矢印ａ方向に強い力が加わると係合凹部１２１の開口縁によって係合爪１１３が押され、操作つまみ１１０は反時計方向に回動し係合爪１１３が係合凹部１２１から離脱し、内管１２０は矢印ａ方向に移動してしまい所定の状態に保持されなくなるという問題が生じる。つまり、掃除中に延長管が縮んで短くなってしまうという事態が生じる。
【０００９】
この問題を解決したものとして図８に示すような固定手段がある。
この固定手段は図８に示すように、外管２００の一端側の端部に設けた収納部２１１内に軸２１２を回動支点として配設されるとともに一端側にコ字状に形成した支持片２１３が形成され他端側に操作部２１４を形成した操作つまみ２１０と、この操作つまみ２１０の前記操作部２１４の裏面側に配置された付勢バネ２１５と、円柱体から形成されるとともに基部側に形成した鍔部２１７の図８において下面を前記支持片２１３に支持され、先端部（図８において下端先端部）を係合部とした係止体２１６と、前記収納部２１１の天井壁と前記鍔部２１７との間に配設され、前記係止体２１６をその軸心方向に沿って下方に垂直に押し下げるように付勢する係止体付勢ばね２１８とから構成されている。
【００１０】
また、外管２００には前記係止体２１６が貫通する貫通孔２０１を形成し、また、外管２００内にその軸方向に沿って移動可能に内管２２０を挿入し、この内管２２０の外周壁には軸方向に沿って複数個の係合凹部２２１が所定間隔毎に設けられている。なお、前記貫通孔２０１および係合凹部２２１の軸心は両管の軸心と直交しているものである。
【００１１】
そして、前記操作つまみ２１０は常時は前記付勢バネ２１５の付勢によって軸２１２を回動支点として図８において反時計方向に回転し、したがって、支持片２１３は下方に位置しており、係止体２１６は前記係止体付勢バネ２１８によって下方に押されることから外管２００および内管２２０の軸心と直交する方向に沿って下方に移動して、その先端部つまり係合部は前記係合凹部２２１内に入り込み係合する。このことによって、内管２２０は軸方向に沿って移動することが規制されるつまりその状態に保持されるものである。
【００１２】
また、内管２２０は外管２００に対して移動させて伸縮させるときは、前記操作つまみ２１０の操作部２１４を付勢バネ２１５の付勢力に抗して、収納部２１１内に押込むように操作すると、操作つまみ２１０は軸２１２を回動支点として時計方向に回転し、図８（Ｂ）に示すように係止体２１６は鍔部２１７を介して支持片２１３によって垂直に上方に押上げられて、係止体の先端部つまり係合部は係合凹部２２１から離脱する。
【００１３】
この結果内管２２０は軸方向に移動可能となり、所望の長さとしこの状態で操作部２１４の押圧を解除すると、係止体２１６はこの時対応している係合凹部２２１に係合し、その結果内管２２０は外管２００に対する軸方向への移動は規制されて、前記所望の長さに維持される。
【００１４】
この固定手段では、係止体２１６は操作つまみ２１０と別に形成されて、また、外管２００の貫通孔２０１と内管２２０の係止体２１６の係合凹部２２１とは上述したように両管の軸心と直交する方向に形成されていることから、係止体２１６が前記係合凹部２２１に係合している状態で、掃除中などに内管２２０の軸方向に移動させる強い力が加わったとしても、係止体２１６は係合凹部２２１がら離脱することはなく、上記操作つまみ２１０に設けた係合爪１１３のように係合凹部１２１から離脱するようことはない。
【００１５】
したがって、掃除中内管２２０を外管２００に対して移動させるような強い力が加わった場合においても、あらかじめ設定した長さに確実に保持できるものである。
【００１６】
しかし、この固定手段は、係止体２１６が操作つまみ２１０と別に形成されているため、係止体２１６を係合凹部２２１に係合させるために付勢する係止体付勢バネ２１８を収納部の天井壁との間に配設しなければならないことから、この係止体付勢バネ２１８を必要とするとともに、この係止体付勢バネ２１８を配設するスペースを収納部２１１内に設けなければならないことから、収納部２１１の外形が大きくなるとともに、外管２００の外周面から周囲への突出量が大きくなり、また、係止体付勢バネ２１８を収納部２１１の天井壁と係止体２１６の鍔部２１７と狭い場所に組み込まなければならないことから、組立作業性が悪いという問題ある。
【００１７】
【発明が解決しようとする課題】
上記のように、一端側に係合爪１１３を設けた操作つまみ１１０を軸１１２を回動支点として回動する構成を有する固定手段は、掃除中などに内管１２０を外管１００に対して、内管１２０を移動させる強い力が加わると係合凹部１２１の開口縁によって係合爪１１３が押され係合爪１２１が係合凹部１２１から離脱して所定の長さに保持できなくなり、掃除中に延長管が縮んで短くなってしまうという問題がある。
【００１８】
また、操作つまみ２１０と別に係止体２１６を設けて、この係止体２１６を内管２２０の係合凹部２２１を内管の軸心つまり移動方向と直交する方向に形成し、この係合凹部２２１に内管２２０の軸心方向と直交する方向に移動する係止体２１６を設ける構成を有する固定手段は、係止体２１６が操作つまみ２１０と別に形成されているため、係止体２１６を係合凹部２２１に係合させるために付勢する係止体付勢バネ２１８を収納部の天井壁との間に配設しなければならないことから、この係止体付勢バネ２１８を必要とするとともに、この係止体付勢バネ２１８を配設するスペースを収納部２１１内に設けなければならないことから、収納部２１１の外形が大きくなり、また、係止体付勢バネ２１８を収納部２１１の天井壁と係止体２１６の鍔部２１７と狭い場所に組み込まなければならないことから、組立作業性が悪いという問題ある。
【００１９】
【課題を解決するための手段】
この発明は上記事情に鑑みてなされたもので、請求項１記載の発明は、外管と、この外管内に軸方向に移動可能に挿入された内管と、前記外管に設けられ前記内管の外管に対する軸方向への移動を規制する固定手段とからなり、この固定手段により所定長さとした内管と外管とを前記所定長さの状態に保持させる伸縮延長管において、
前記外管の一端側に貫通孔を形成し、前記内管に軸方向に沿って複数の係合凹部を所定間隔毎に形成するとともに、
前記固定手段を、前記貫通孔を通ってその先端部を前記係合凹部に係脱する係止体と、この係止体を係合凹部から離脱させる方向に移動させるアーム、および前記係止体の端面と対向する天井壁に設けられ前記係止体を係合凹部に係合させる方向に押圧するとともに、前記アームとの間に前記係止体をその移動方向に挟む押圧部を有し、支点軸を介して前記外管に回動可能に設けられた操作つまみと、前記支点軸を境に前記アーム及び押圧部とは反対側に設けられ、前記操作つまみを付勢し前記係止体に当接した前記押圧部によって前記係止体を係合凹部に係合させる方向に押圧する付勢バネとから構成した伸縮延長管としたものである。
【００２０】
このように請求項１記載の発明は、伸縮延長管を所定の長さに保持する固定手段を、外管に形成した貫通孔を通ってその先端部を前記係合凹部に係脱する係止体と、この係止体を係合凹部から離脱させる方向に移動させるアーム、および前記係止体の端面と対向する天井壁に設けられ前記係止体を係合凹部に係合させる方向に押圧するとともに、前記アームとの間に前記係止体をその移動方向に挟む押圧部を有し、支点軸を介して前記外管に回動可能に設けられた操作つまみと、前記支点軸を境に前記アーム及び押圧部とは反対側に設けられ、前記操作つまみを付勢し前記係止体に当接した前記押圧部によって前記係止体を係合凹部に係合させる方向に押圧する付勢バネとから構成している。これにより、付勢バネの付勢によって付勢される操作つまみの押圧部によって押圧されて係止体は係合凹部に係合するとともに、操作つまみを付勢バネの付勢力に抗して回動させることによりアームにより係止体を係合凹部から離脱させることができるとともに、外管に対して位置決めされた内管をその状態に確実に保持でき、しかも、構成を簡単にできるという作用を有するものである。
【００２３】
また、請求項２記載の発明は、掃除機本体の吸込口と吸込口体とを請求項１記載の伸縮延長管によって連通接続することとした電気掃除機としたものである。
【００２４】
この請求項２記載の発明は、請求項１記載の発明の作用に加えて、掃除中の操作において伸縮延長管は所定の長さに確実に保持できることから、その操作性を向上させることができるという作用を有するものである。
【００２５】
【発明の実施の形態】
つぎに、この発明の実施の形態を図１ないし図６に基いて説明する。
図１は電気掃除機１に吸込ホース２０、延長管３０および吸込口体である床ブラシ７０を接続した状態の斜視図である。そして、前記電気掃除機１は、従来周知電気掃除機と同様に構成されているものである。つまり、上部ケース１１と下部ケース１２とを図示しないネジによって結合して一体に形成され内部に集塵室（不図示）、送風気室（不図示）およびリール室（不図示）などが形成された本体ケース１０と、この本体ケース１０の前記集塵室、送風機室およびリール室に収納された図示しないフィルター、電動送風機およびコードリール装置などから構成されている。
【００２６】
また、前記本体ケース１０の前部には前記集塵室に連通している吸込口１３が形成されており、また、本体ケース１０つまり上部ケース１１には前記図示しない集塵室の上方に形成された開口を開閉する開閉蓋１４が設けられており、前記図示しない開口を介してフィルターが出し入れできるようになっている。
【００２７】
また、本体ケース１０の後部両側壁には走行車輪１５が取り付けられており、また、前部下面には図示しない旋回輪が取り付けられているものである。また、本体ケース１０内にはマイクロコンピューターなどからなる制御手段が設けられている。
【００２８】
また、前記吸込ホース２０は、蛇腹状に形成された可撓性のホース２１、このホース２１の一端側に接続され前記本体ケース１０の吸込口１３に着脱可能に接続される接続具２２および他端側に接続された把手部２３とから構成されており、そして、この吸込ホース２０は前記接続具２２を前記本体ケース１０の吸込口１３に嵌合することによって本体ケース１０に接続されるものである。
【００２９】
また、前記把手部２３には、把手２４が一体に設けられており、この把手２４の前面部には前記図示しない電動送風機を制御する複数の制御スイッチ２５が配設されており、これら制御スイッチ２５からの制御信号は図示しないが前記ホース２１内に配設された信号線、前記接続具２２に設けた図示しない接続ピンを介して本体ケース１０内に配設された前記制御手段に送られるようになっている。
【００３０】
また、把手部２３の先端部には後述する延長管３０を嵌合させる嵌合口２６が形成されている。また、この嵌合口２６の上面側（使用する際に上側となる面側）には、延長管３０に配設された後述する給電レール４７に接続された接続ピン（不図示）と電気的に接触する接続片が配設されて雌コネクター（不図示）が設けられている。前記接続片は、前記ホース２１内に配設された給電線、および接続具２２に設けた接続ピンを介して前記コードリール装置を通して電源と電気的に接続されるようになっている。
【００３１】
また、把手部２３の嵌合口２６の上面部には、接続された延長管３０をその状態に保持する固定手段２７が設けられている。
【００３２】
つぎに、吸込ホース２０の把手部２３の前記嵌合口２６に接続される延長管３０について説明する。
この延長管３０は外管４０と内管５０とから構成されている。そして、前記外管４０は、図２、図３にその一部を示したように、管本体４１、この管本体４１の上面側に一体に取り付けられたカバー体４２および管本体４１の一端側に形成された支持基板４８とから構成されており、前記管本体４１の一端側端部には、図２に示すように端面から所定の長さに亘って径大とした嵌合部４１ａが形成されており、この嵌合部４１ａにその奥部に第一のガイド管４３が配置され、また、端部側には鍔部４４が形成された第二のガイド管４５が配置され、また、これら第一のガイド管４３と第二のガイド管４５との間に位置して両ガイド管４３および４５によって位置決めされて断面Ｔ字状のシールリング４６が配置されている。
【００３３】
そして、第一のガイド管４３および第二のガイド管４５は、後に詳述する前記内管５０の管本体５１が外管４０の管本体４１内を軸方向に移動する際に、この管本体５１をガイドするものである。前記シールリング４６は、外管４０の管本体３１の内周面と内管５０の管本体５１の外周面との間から内部を流れる空気が外部に漏れることを防止するように機能するものである。
【００３４】
また、管本体４１の上面側周面には、図６に示すように二本の給電レール４７（図２では一方のみを点線で図示）が所定の間隔離間させて軸方向に平行にして配設されており、この給電レール４７は管本体４１の他端側に設けた前記把手部２３の嵌合口２６の上面側の設けた雌コネクターに接続される図示しない接続ピンに接続されている。
【００３５】
また、前記二本の給電レール４７は前記カバー体４２によって覆われており外部に露出しないようになっている。また、前記鍔部４４にはカバー体４２の内部に連通する貫通孔４４ａが形成される。
【００３６】
また、前記外管４０の管本体４１の前記一端部には、短冊状に形成され管本体４１にその基部を一体に取り付けて片持状態として形成した前記支持基板４８が設けられており、この支持基板４８の軸方向略中間部には、貫通孔４８ａが形成され、また、その先端部にはバネ受突起４８ｂが形成されている。また、支持基板４８の前記貫通孔４８ａのバネ受突起４８ｂ側の近傍の両側には軸孔４９が形成された軸受部４８ｃが形成されている。
【００３７】
なお、上記貫通孔４８ａは、後述する係止体６１が移動する際に傾かないようにしてスムースに移動させるガイドとしての機能を有しているものである。
【００３８】
つぎに、前記内管５０は、前記外管４０の管本体４１内に軸方向に移動可能に挿入される管本体５１と、この管本体５１に端部外周面に取り付けられた支持リング５２に基部を取り付けられ管本体５１の外周壁と小間隙を介して軸方向に平行に設けられたブリッジ体５３とから構成されている。
【００３９】
このブリッジ体５３は、前記第一のガイド管４５の鍔部４４に形成した貫通孔４４ａを貫通して前記カバー体４２と管本体４１の外周面との間に形成された空間に位置し、管本体５１を外管４０の管本体４１内を軸方向に移動させるときこの管本体５１と一体となって前記空間内を軸方向に移動するようになっており、そして、このブリッジ体５３には、図６に示すように埋設した二本の金属棒からなる導電体５４の間に位置して軸方向に沿って複数の係合凹部５６が所定の間隔を置いて形成されている。
【００４０】
また、ブリッジ体５３の内部には、前記給電レール４７と対応するようにして二本の導電体５４（図２では一方のみを点線で図示）が所定の間隔離間して互いに平行にして軸方向に沿って埋設されており、また、ブリッジ体５３の先端部には図示しないが前記二本の導線に接続されその先端部を前記給電レール４７に摺接する摺動接触片が設けられている。この摺動接触片を介して給電レール４７と導電体５４とは内管５０が外管４０に対して移動する際も常に電気的に接続されるようになっている。
【００４１】
また、前記導電体５４の基部側は前記支持リングに取り付けられた一対の接続ピン５５（図２では一方のみを点線で図示）に接続されており、この接続ピン５５は前記床ブラシ７０の接続管７２に設けられた図示しない雌コネクターと接続されるようになっている。
【００４２】
つぎに、前記内管５０を外管４０に対して位置決めする固定手段６０について説明する。
この固定手段６０は、前記外管４０の管本体４１の前記一端部の前記カバー体４２と管本体４１の外周面との間に形成した収納部３１に設けられており、図２図３に示すように、ブリッジ体５３に形成した係合凹部５６に係脱する係止体６１、この係止体６１を離脱させる方向に移動させるアーム６６および係止体６１を係止凹部５６に係合させるように押圧する押圧部としての押圧突起６５ｂを有する操作つまみ６４、前記係止体６１を係合凹部に係合させる方向に付勢するように操作つまみ６４を付勢する付勢バネ６９とから構成されているものである。
【００４３】
そして、前記係止体６１は、円柱体状に形成されるとともに、図２ないし図５に示すように軸方向上端側には、環状の鍔部６２が形成されており、その下方部先端部は係合部となっているものである。
【００４４】
また、前記操作つまみ６４は、図２、図３に示すように天井壁６５ａを底壁とし下方を開放した有底箱状に形成されたつまみ部６５と、このつまみ部６５に一体に取り付けられるとともに互いに離間した一対のアーム６６が形成されたアーム板６７（図４参照）とこのアーム板６７に一体に取り付けられた支点軸としての軸６８とから構成されている。そして、前記アーム板６７は、つまみ部６５の両側壁に接着などによりつまみ部６５と一体化されているものである。
【００４５】
また、前記両アーム６６の先端部は断面曲面状とした突起状に形成された当接部としての当接突起６６ａが形成されており、この当接突起６６ａは、前記係止体６１の鍔部６２の下面に当接しており、操作つまみ６０が軸６８を支点として図２、図３において時計方向に回動するとこの回動に伴って前記係止体６１を上方に移動させてその先端部つまり係合部を前記ブリッジ体５３に形成した係合凹部５６から離脱させるように機能するものである。
【００４６】
また、前記当接突起６６ａの前記係止体６１の鍔部６２との当接関係は、図５に示すように操作つまみ６０が前記時計方向への回動が開始されるに伴って開始される当接突起６６ａの移動開始時においては、係止体６１の移動方向軸心線Ｓの軸６８と反対側近傍に位置させるとともに、移動に伴って軸６８側の移動方向軸心線Ｓの側近傍に偏位するように設定されている（軸６８の軸心から当接突起６６ａまでの距離つまり半径を調節することによって設定される）。
【００４７】
このように当接突起６６ａと係止体６１の鍔部６２との当接関係が、回動開始時に、係止体６１の移動方向軸心線Ｓの軸６８と反対側近傍に位置させるとともに、移動に伴って軸６８側の移動方向軸心線Ｓの側近傍に偏位するように設定されている。このことにより、回動に伴って移動するアーム６６の当接突起６６ａを係止体６１が軸心から大きく離れることがないようにできることから、係止体６６の移動する際の軸心が係合凹部５６および貫通孔４８ａの軸心に対して傾くことを防止できる。このため、係止体６１の係合凹部５６からの離脱動作を容易にさせるつまりスムースに離脱させることができるものである。
【００４８】
また、つまみ部６５の天井壁６５ａの前記係止体６１と上端面に対向する位置には押圧部としての押圧突起６５ｂが形成されており、また、天井壁６５ａの前記押圧突起６５ｂの反対側には、バネ受突起６５ｃが形成されている。
【００４９】
そして、このバネ受突起６５ｃと前記支持基板４８に形成したバネ受突起４８ｂに前記付勢バネ６９であるコイルバネの両端部が嵌合して取り付けられているものである。
【００５０】
また、前記押圧突起６５ｂは操作つまみ６０が前記付勢バネ６９によって反時計方向に回動させられたとき、係止体６１の上端面を押圧して係止体６１の先端部すなわち係合部を係合凹部５６に係合させるように機能するものである。
【００５１】
つまり、操作つまみ６０が付勢バネ６９によって付勢されて軸６８を支点として反時計方向に回動させられると、係止体６１は前記付勢バネ６９の付勢力によって押圧される押圧突起６５ｂによって押圧されて係合凹部５６に係合し、操作つまみ６０の操作部６４ａを指先によって前記付勢バネ６９の付勢力に抗して押圧して時計方向に回動すると係止体６１は、その鍔部６２の下面に当接しているアーム６６の当接突起６６ａによって上方に押上げられるつまり移動し前記係合凹部５６から離脱するものである。
【００５２】
つぎに、前記延長管３０の内管５０の先端部に接続される床ブラシ７０は、床ブラシ本体に電動機とこの電動機によって駆動される回転清掃体が設けられた形式の従来周知の床ブラシと同様に構成されているものである。
【００５３】
つまり、図示しないが下面に開口した吸込開口を有する吸込室内に回転清掃体およびこの回転清掃体を駆動する電動機が配設された床ブラシ本体７１、この床ブラシ本体７１に回動可能に取り付けられた接続管７２とから構成されている（図１参照）。
【００５４】
そして、前記接続管７２の内管５０に接続する側には前記支持リング５２に設けられた接続ピン５５と嵌合するとともに前記電動機とリード線を介して接続されている図示しない雌コネクターが設けられており、この雌コネクターは接続管７２を内管５０に接続記したときに前記接続ピン５５と接続されて前記図示しない電動機に給電できるようになっている。
【００５５】
なお、図に示すように内管５０の先端部にも上述したと同様に構成された固定手段６０が取り付けられており、前記床ブラシ７０の接続管７２を確実に接続状態に保持できるようになっている。また、前記吸込ホース２０の把手部２３に設けられた前記固定手段２７も上記固定手段６０と同様に構成されており、延長管３０つまり外管４０と把手部２３との接続状態を確実に保持するようになっている。
【００５６】
つぎに、上記のように構成された延長管３０を伸縮させる場合の動作について説明する。
延長管３０を伸縮させる場合は、まず、操作つまみ６４の操作部６４ａを指先によって前記付勢バネ６９の付勢力に抗して押圧して時計方向に回動させる。すると上述したように係止体６１は、その鍔部６２の下面に当接しているアーム６６の当接突起６６ａによって上方に移動させられ、前記ブリッジ体５３に形成した係合凹部５６から離脱する。この状態では内管５０は軸方向の移動の規制が解除され、外管４０内を自由に移動させることができることから、内管５０を外管４０に対して軸方向に移動させて所望の長さに調節する。
【００５７】
そして、この調節の際に内管５０を外管４０に対して移動させると、内管５０の一部を構成している前記ブリッジ体５３は内管５０つまり管本体５１と一体に移動し、その先端部に設けた図示しない摺動接触片も給電レール４７に摺接しつつ移動することから、内管５０が外管４０に対して伸縮するために移動させられたとしても、給電レール４７とブリッジ体５３に埋設された導電体５４とは常に電気的接続状態に維持されるものである。
【００５８】
そして、延長管３０を前記所望の長さに調節した後、前記操作つまみ６４の押圧を解除する。この解除により操作つまみ６４は付勢バネ６９によって軸６８を支点として反時計方向に回動し、押圧突起６５ｂによって係止体６１は下方に向けて押圧され、その先端部つまり係合部は前記係合凹部５６内に入り込み係合する。
【００５９】
この係合によって内管５０の外管４０に対する軸方向への移動は規制され、その状態に確実に保持される。そして、係合凹部５６は内管５０の軸方向と直交する方向を軸方向とした凹部に形成され、また、係止体６１も同様に内管５０および外管４０の軸方向と直交する方向に移動して前記係合凹部５６に係合するものであることから、掃除中に内管５０に軸方向に向かう強い力が加わったとしても、係止体６１が係合凹部５６から離脱することはなく、前記所望の長さに調節した状態に確実に保持されるものである。
【００６０】
また、固定手段６０は、前記貫通孔４８ａを介してその先端部を係合凹部５６に係脱する係止体６１と、この係合体６１を係合凹部５６から係脱する方向に移動させるアーム６６および係止体６１を係合凹部５６に係合させる方向に押圧する押圧突起６５ｂを有し支点軸である軸６８を介して外管４０に回動可能に設けられた操作つまみ６４と、前記押圧突起６５ｂが係合体６１を押圧する方向に付勢する付勢バネ６９とによって構成されているものであることからその構成を簡単にできるものである。
【００６１】
また、係止体６１を係合凹部５６から脱方向に移動させる際にアーム６６が係止体６１に当接する当接突起６６ａを、移動開始時は係止体６１の移動方向軸心線Ｓの軸６８と反対側近傍に位置させるとともに、移動に伴って軸６８側の移動方向軸心線Ｓの近傍に偏位させるように設定したことから、回動に伴って移動するアームの当接部は係止体の軸心から大きく離れることがないことから係止体が移動方向に対して傾くことを防止できるため、係止体の係合凹部からの離脱動作を容易にできるつまりスムースに移動させることができるものである。
【００６２】
また、掃除中に延長管３０は所望の長さに確実に保持されることから、掃除中に延長管３０が縮んで短くなるようなことはなく、床ブラシ７０の操作性を向上させることができるものである。
【００６３】
なお、上記実施の形態においては、床ブラシ７０に回転清掃体を駆動する電動機を設ける構成としため、外管４０に給電レール４７を設け、また、内管５０に導電体５４を埋設したブリッジ体５３を設ける構成とし、内管５０に形成する係合凹部５６は前記ブリッジ体５３に形成するようにしたが、これは床ブラシ７０に回転清掃体を駆動する電動機を設けない場合は、内管にブリッジ体を設けることおよび外管に給電レールを設ける必要がないこととから、内管と外管を図６に示したと同様な構成とし、内管の外周壁に直接係合凹部を設ける構成としてもよいものである。
【００６４】
また、上記実施の形態においては、操作つまみ６４に設けた係止体６１を押圧する押圧部を押圧突起６５ｂによって形成したが、これは操作つまみ６４の形状を変えて操作つまみの天井壁に押圧させる機能を持たせるつまり天井壁を押圧部としてもよいものである。
【００６５】
また、上記実施の形態においては、係止体６１を円柱形状としたが、これ他の形状例えば角柱状などとしてもよいものであり、また、鍔部６２を設けてこの鍔部６２を介してアーム６６によって係止体を移動させるように構成したが、これは例えば係止体に軸方向沿ってスリット状の孔を形成し、この孔内に一本のアームの先端部をスリット方向に可動状態に挿入し、このアームの回動によって係止体を係合凹部から離脱させるように構成してもよいものである。
【００６６】
なお、上記実施の形態においては、延長管３０を吸込ホース２０を介して本体ケース１０の吸込口１３に接続するキャニスター型の電気掃除機に適用した場合について説明したが、吸込ホースを介することなく延長管を直接本体ケースの吸込口に接続する例えばハンデー型あるいはアップライト型など他の形式電気掃除機にも適用できるものである。
【００６７】
【発明の効果】
上記のように請求項１記載の発明は、伸縮延長管を所定の長さに保持する固定手段を、外管に形成した貫通孔を通ってその先端部を前記係合凹部に係脱する係止体と、この係止体を係合凹部から離脱させる方向に移動させるアーム、および前記係止体の端面と対向する天井壁に設けられ前記係止体を係合凹部に係合させる方向に押圧するとともに、前記アームとの間に前記係止体をその移動方向に挟む押圧部を有し、支点軸を介して前記外管に回動可能に設けられた操作つまみと、前記支点軸を境に前記アーム及び押圧部とは反対側に設けられ、前記操作つまみを付勢し前記係止体に当接した前記押圧部によって前記係止体を係合凹部に係合させる方向に押圧する付勢バネとから構成したことから、付勢バネの付勢によって付勢される操作つまみの押圧部によって押圧されて係止体は係合凹部に係合するとともに、操作つまみを付勢バネの付勢力に抗して回動させることによりアームにより係止体を係合凹部から離脱させることができるとともに、外管に対して位置決めされた内管をその状態に確実に保持でき、しかも、構成を簡単にできるという効果を有するものである。
【００６９】
また、請求項２記載の発明は、掃除機本体の吸込口と吸込口体とを請求項１記載の伸縮延長管によって連通接続することとした電気掃除機としたことから、請求項１記載の発明の効果に加えて、掃除中の操作において伸縮延長管は所定の長さに確実に保持できることから、その操作性を向上させることができるという効果を有するものである。
【図面の簡単な説明】
【図１】本発明の実施の形態の電気掃除機の斜視図。
【図２】上記電気掃除機の延長管の固定手段と延長管の外管と内管との関係を示す断面図（係止体が内管に形成した係合凹部に係合した状態）。
【図３】上記電気掃除機の延長管の固定手段と延長管の外管と内管との関係を示す断面図（係止体が内管に形成した係合凹部から離脱した状態）。
【図４】上記固定手段の操作つまみの一部であるアーム板の斜視図。
【図５】上記固定手段の係止体がアームによって移動させられる際のアームの当接部（当接突起）の係止体に対する当接関係を示す図。
【図６】上記延長管の軸方向と直交する方向に断面した部分断面図（図２におけるＡ−Ａ線での断面）。
【図７】従来の延長管の固定手段の断面図。
【図８】従来の延長管の固定手段の断面図であり、（Ａ）は固定手段の係止体が内管に形成した係合凹部に係合した状態であり、（Ｂ）は係止体が係合凹部から離脱した状態である。
【符号の説明】
１            電気掃除機
１０          電気掃除機の本体ケース
１３          吸込口
３０          延長管
４０          外管
４８ａ        外管に設けた貫通孔
５０          内管
５６          係合凹部
６０          固定手段
６１          係止体
６６          アーム
６５          操作つまみ
６５ａ        天井壁
６５ｂ        押圧突起（押圧部）
６８          軸（支点軸）
６９          付勢バネ
【図１】
0003655127.tif 000002
【図２】
0003655127.tif 000003
【図３】
0003655127.tif 000004
【図４】
0003655127.tif 000005
【図５】
0003655127.tif 000006
【図６】
0003655127.tif 000007
【図７】
0003655127.tif 000008
【図８】
0003655127.tif 000009